(57)【要約】【課題】光沢（グロス）及び差分光沢（グロス）測定システムを提供する。【解決手段】本システムは、目標１０上の点Ｃに第１の光ビーム（Ｂ−Ｃ）を放射して、第１の方向に通常の鏡面の反射を生成するように構成された第１の照明体１Ａと、目標１０上の点Ｃに第２の光ビーム線（Ｅ−Ｃ）を放射して、第１の方向に通常に拡散する反射を生成するように構成された第２の照明体１Ｂと、第１の方向における通常の鏡面の反射及び通常に拡散する反射を検出するように構成された線形アレイセンサ２と、線形アレイセンサ２によって検出された通常の鏡面の反射及び通常に拡散する反射を処理するように構成されたプロセッサとを含む。【選択図】図１
2008256691.tif 000002
【特許請求の範囲】
【請求項１】
表面特性を検出するためのシステムであって、
目標上の点に第１の光ビームを放射して、第１の方向に通常の鏡面の反射を生成するように構成された第１の照明体と、
前記目標上の点に第２の光ビームを放射して、前記第１の方向に通常に拡散する反射を生成するように構成された第２の照明体と、
前記第１の方向における前記通常の鏡面の反射及び前記通常に拡散する反射を検出するように構成された線形アレイセンサと、
前記線形アレイセンサによって検出された、前記通常の鏡面の反射及び前記通常に拡散する反射を処理するように構成されたプロセッサと、
を含むことを特徴とするシステム。
【請求項２】
前記線形アレイセンサは、全幅アレイセンサ、コンタクトイメージセンサ、又はＣＣＤアレイセンサのいずれかである、ことを特徴とする請求項１に記載のシステム。
【請求項３】
前記線形アレイセンサが行うサンプリングは、該線形アレイセンサの各々の走査線が、（１）前記通常の鏡面の反射と前記通常に拡散する反射との組み合わせのキャプチャ及び（２）前記通常に拡散する反射のキャプチャを交互にするように、前記第１照明体及び前記第２照明体を同期させるように構成されている、ことを特徴とする請求項１に記載のシステム。
【請求項４】
(i) 前記目標の表面の法線に関する前記第１の方向における前記通常の鏡面の反射及び前記通常に拡散する反射の角度と、
(ii)前記目標表面の法線に関する前記第１の照明体から放射されたビームの角度と、
(iii) 前記目標表面の法線に関する前記第２の照明体から放射されたビームの角度と、
の少なくとも１つが選択的に調節可能である、
ことを特徴とする請求項１に記載のシステム。
【請求項５】
表面特性を検出するためのシステムであって、
目標上の点に光ビームを放射して、第１の方向に通常の鏡面の反射を生成し且つ第２の方向に通常に拡散する反射を生成するように、構成された照明体と、
前記第１の方向における前記通常の鏡面の反射を検出するように構成された第１の線形アレイセンサと、
前記第２の方向における前記通常に拡散する反射を検出するように構成された第２の線形アレイセンサと、
前記第１の線形アレイセンサによって検出された前記通常の鏡面の反射及び前記第２の線形アレイセンサによって検出された前記通常に拡散する反射を処理するように構成されたプロセッサと、
を含むことを特徴とするシステム。
【発明の詳細な説明】
【技術分野】
【０００１】
本発明は、表面特性を測定するシステムに関し、特定的には、光沢（グロス）及び光沢差（差分グロス）等の表面特性を測定するシステムに関する。
【背景技術】
【０００２】
複数のマーキング・エンジンが印刷ジョブに用いられる印刷システムにおいては、所与の文書を生成するために用いられる個々のマーキング・エンジンによって生成される画質の均一性が中心的課題である。（同じページの複数の写しであることが多い）ページが異なるマーキング・エンジンで印刷されるとしても、光沢（グロス）レベルは本質的に同じであることが重要である。また、マーキング・エンジンが１つしかないシステムにおいては、ページに渡って光沢（グロス）が一様であることが重要である。
【０００３】
本明細書において引用により組み入れられる米国特許第５，７４８，２２１号は、低解像度かつ処理方向において１つだけの場所で、その場の色、光沢（グロス）及び整合を測定することを開示している。
【０００４】
【特許文献１】米国特許第５，７４８，２２１号明細書
【特許文献２】米国特許第５，１６２，８７４号明細書
【特許文献３】米国特許第５，２０４，５３８号明細書
【特許文献４】米国特許出願公開第２００６／０００３３０２号明細書
【特許文献５】米国特許第６，９７５，９４９号明細書
【特許文献６】米国特許第７，１３６，６１６号明細書
【特許文献７】米国特許第７，０２４，１５２号明細書
【特許文献８】米国特許出願公開第２００６／０２２２３８４号明細書
【発明の開示】
【発明が解決しようとする課題】
【０００５】
本発明者らは、カラー・エンジンの各々の現在の光沢（グロス）能力を評価するための改善された方法を提供することが望ましいと認識する。本発明者らはまた、モノクロ・エンジンの各々の現在の光沢（グロス）能力を評価するための改善された方法を提供することが望ましいと考えている。
【課題を解決するための手段】
【０００６】
第１の実施形態においては、本システムは、目標上の点に第１の光ビームを放射して、第１の方向に通常の鏡面の反射を生成するように構成された第１の照明体と、前記の目標上の点に第２の光ビーム線を放射して、第１の方向に通常に拡散する反射を生成するように構成された第２の照明体と、第１の方向における通常の鏡面の反射及び通常に拡散する反射を検出するように構成された線形アレイセンサと、線形アレイセンサによって検出された通常の鏡面の反射及び通常に拡散する反射を処理するように構成されたプロセッサとを含む。
【０００７】
第２の実施形態においては、本システムは、目標上の点に光ビームを放射して、第１の方向に通常の鏡面の反射を生成するとともに第２の方向に通常に拡散する反射を生成するように構成された照明体と、第１の方向における通常の鏡面の反射を検出するように構成された第１の線形アレイセンサと、第２の方向における通常に拡散する反射を検出するように構成された第２の線形アレイセンサと、第１の線形アレイセンサによって検出された通常の鏡面の反射及び第２の線形アレイセンサによって検出された通常に拡散する反射を処理するように構成されたプロセッサとを含む。
【０００８】
第１の実施形態において、線形アレイセンサが行うサンプリングは、該センサの各々の走査線が、（１）通常の鏡面の反射と通常に拡散する反射の組み合わせのキャプチャ（捕捉）と（２）通常に拡散する反射のキャプチャ（捕捉）とが交互になるように、第１照明体と第２照明体とを同期させるように構成するのが好ましい。その場合、第１照明体はオンとオフでパルス化するように構成し、第２照明体はオンのままでいるように構成することができる。
【０００９】
線形アレイセンサは、全幅アレイセンサ、コンタクトイメージセンサ又はＣＣＤアレイセンサのいずれかにすることができ、照明体は線形ＬＥＤアレイ、ランプ、リフレクタ付きランプ、又は平行光源のいずれにすることができる。
【００１０】
プロセッサは、照明体及びセンサの任意の角度依存を考慮するように構成することができる。
【００１１】
本システムはさらに、通常の鏡面の反射を生成するために用いられる照明体によって放射されたビームの光路に置かれた円筒レンズ、バッフル、視野絞り又はこれらの組み合わせを含むのが好ましい。また、焦点外で操作することができるセルフォック（登録商標）レンズ（ロッド状ガラスの陽イオン交換による屈折率分布型レンズ）を通常の鏡面の反射の光路に置くこともできる。
【００１２】
さらに、各々が目標上の点に第１の光線を放射して、通常に拡散する反射を生成するように構成された複数の照明体を用いることもできる。用いられる種々の照明体は、異なるスペクトルコンテンツを放射することができる。
【００１３】
また、照明体及びセンサの角度依存は、選択的に調節することができる。
【発明を実施するための最良の形態】
【００１４】
ここで、本発明の実施形態を、ほんの一例として、対応する参照記号が対応する部分を表す添付の概略図を参照して開示する。
【００１５】
反射の法則によると、出て行く反射光の方向と入射光の方向は、表面法線に関して同じ角度を作る。鏡面反射は、単一の入射方向からの光が単一の出射方向に反射するような表面からの光の完全な鏡のような反射である。対照的に、拡散反射は、光線を異なる出射方向に反射させる表面のでこぼこがあるために、単一の入射方向からの光が多数の方向に反射するような表面からの光の反射である。反射の種類は表面構造による。例えば、つや消し印刷及び光沢（グロス）印刷は両方とも鏡面反射及び拡散反射の組み合わせを示し、つや消し印刷は拡散反射のより高い割合を持ち、光沢（グロス）印刷は鏡面反射のより大きい割合を持つ。
【００１６】
システムが光沢（グロス）検出及び光沢（グロス）の空間依存性の測定のために提供される。有利なことに、本システムは、処理方向（移動方向）及び処理方向に交差する方向（すなわち高速走査方向）の両方において利用可能な高空間分解能を捕捉（キャプチャ）するように構成されている。第１の実施形態において、図１〜図３で示されるように、本システムは、センサ２と併せて少なくとも２つの独立した照明体１Ａ及び照明体１Ｂを含む。
【００１７】
センサ２は、例えば全幅アレイ（ＦＷＡ）センサのような線形アレイセンサであることが好ましい。全幅アレイセンサは、処理方向に交差する方向に等間隔に離間された複数のセンサ（例えば１／６００インチ（２５．４ｍｍ）ごとに１つ（すなわち１インチ（２５．４ｍｍ）当たり６００スポット））を含むことができる。例として、引用により本明細書に組み入れられる米国特許第６，９７５，９４９号を参照されたい。コンタクトイメージセンサ又はＣＣＤアレイセンサのような他の線形アレイセンサもまた用いることができることが理解される。
【００１８】
センサ２は、目標１０の通常（又は普通）に滑らかで平らな表面からの光の反射を検出するように構成されている。目標は、任意の印刷又は走査表面とすることができることが好ましい。線Ｃ―Ｄは、目標１０の点Ｃにおける表面に対する法線を表す。点Ｃは、実際は、（例えば図６に示されるように）目標表面上の線又は領域とすることができる。
【００１９】
図１において、第１の照明体１Ａは線Ｂ−Ｃ上に置かれ、第２の照明体１Ｂは線Ｅ−Ｃ上に置かれている。線Ａ−Ｃ及び線Ｄ−Ｃの間の角度（∠ＡＣＤ）は、線Ｂ−Ｃ及び線Ｃ−Ｄの間の角度（∠ＢＣＤ）と実質的に等しく設定されて、第１の照明体１Ａが点Ｃにおいて目標１０上に光ビームを放射し、それによって、線Ａ−Ｃに沿った第１の方向において、目標から通常の（又は普通の）鏡面の反射を生成するように構成されている。
【００２０】
線Ｅ−Ｃと線Ｄ−Ｃの間の角度（∠ＥＣＤ）は、線Ａ−Ｃと線Ｄ−Ｃの間の角度（∠ＡＣＤ）以外の幾らかの角度に設定されて、第２の照明体１Ｂが点Ｃにおいて目標上１０に光線を放射し、それによって線Ａ−Ｃに沿った少なくとも第１の方向において、幾らかの通常に（又は普通に）拡散する反射を生成するように構成されている。
【００２１】
センサ２は、線Ａ−Ｃに沿って置かれて、第１の照明体１Ａからの通常の鏡面の反射、並びに、第２の照明体１Ｂからの拡散反射の一部を捕捉（キャプチャ）し、これらの両方は、第１方向において目標１０の点Ｃから反射されたものである。目標１０の表面は「完全鏡」になることはないため、線Ａ―Ｃに沿った照明体１Ａのビームからの鏡面反射もまた、１Ａの照明体のビームからの（ほんのわずかではあるが）幾らかの拡散反射を含む。
【００２２】
照明体１Ａ、１Ｂは、光源として実施される。線形ＬＥＤアレイは、例えば、上述の米国特許第６，９７５，９４９号において開示されるように、線形アレイセンサ２と併せて用いることができることが好ましい。線形ＬＥＤアレイはまた、ＬＥＤを一列だけ使うこともできる。線形アレイセンサ及び線形ＬＥＤアレイの組み合わせは、処理方向及び処理方向に交差する方向の両方において、高空間分解能（例えば６００ｓｐｉ（＝６００スポット／２５．４ｍｍ））を可能にする。ＬＥＤアレイは、米国特許第６，９７５，９４９号において説明されるように、例えば白色のようにすべて一色としてもよいし、又は複数の色としてもよい。また、照明体は、ランプであってもよいし、又は線形アレイセンサの側のランプと他の側の反射鏡とから構成されてもよい。平行光ビームは、鏡面反射のより大きい比率を与えることができる。
【００２３】
望まれる場合には、２つの照明体１Ａ及び照明体１Ｂが、異なるスペクトルコンテンツを持つ光を放射するようにすることが可能である。照明体１Ａ、１Ｂが、赤色、緑色、及び青色ＬＥＤからなる場合には、スペクトルコンテンツは、現場で当面の用途に調整することができる。
【００２４】
照明体は、処理方向において、所定の高空間分解能のためのライン時間より少ないか又はそれに等しい時間だけオン及びオフにすることができる。照明体の１つ、例えば拡散照明体１Ｂをオンのままにし、鏡面反射照明体１Ａだけをオン及びオフにパルス化することがあり得る。照明体の種類は異なることができ、例えば、鏡面反射に用いられる照明体はランプとすることができ、拡散反射に用いられる照明体は赤色、緑色、青色及び他の色のＬＥＤから成ることが可能である。
【００２５】
２つの照明体１Ａ、１Ｂ及びセルフォック（登録商標）レンズ３（セルフォックレンズはロッド状ガラスの陽イオン交換による屈折率分布型レンズをいう）を備える１つのセンサ２を基にする２つの実施形態が、図１及び図２において示される。図１及び図２において示される実施形態間の主要な違いは、センサ２に対する２つの照明体１Ａ、１Ｂの配置にある。図１においては、２つの照明体１Ａ、照明体１Ｂはセンサ２の両側にある。対照的に、図２において、照明体１Ａ、１Ｂは、両方ともセンサ２の同じ側にある。
【００２６】
円筒レンズ装置（図示せず）も、また、鏡面反射照明体１Ａの光路内に配置されてもよく、これによって、照明幅に沿って、拡散照明を最小にするるとともに、さらにバッフルや視野絞りを減少させることができる。理想的には、鏡面反射照明体１Ａの平行光化が、より鮮明に定義された鏡像の捕捉（キャプチャ）を保証することを助ける。
【００２７】
センサ２のサンプリングは、各々の走査線が、交互に、（１）拡散反射の捕捉（キャプチャ）と（２）鏡面反射と拡散反射の組み合わせの捕捉（キャプチャ）とになるように、照明体１Ａ、１Ｂと同期させることができる。例えば、２つの照明体１Ａ、１Ｂは、走査線Ｎが拡散反射光の捕捉（キャプチャ）になり、走査線Ｎ＋１が鏡面反射光と拡散反射光との組み合わせの捕捉（キャプチャ）になり、それによって、２つの画像を生成するように、連続してオンとオフにパルス化することができる。処理方向において、１インチ（２５．４ｍｍ）当たり６００走査のサンプリングが可能なシステムが与えられると、出力の１つは、鏡面反射と拡散反射との組み合わせであり、他の１つは、拡散反射である、２つの３００ｓｐｉ（１インチ（２５．４ｍｍ）あたり３００スポット）の画像になる。通常の６００ｓｐｉ（１インチ（２５．４ｍｍ）あたり６００スポット）の半分の解像度を持つこれらの画像から、２つの場合の各々に対して最大解像度の画像を生成することができる。適用例のほとんどではないにしても、多くの適用例において、２つの画像が互いにかみ合うという事実は、注意を要する厄介な問題を持ち込むことはないであろう。実際、低解像度走査は、主な用途が光沢（グロス）測定の一様性に対するものである場合は、むしろ有利でさえあり得る。
【００２８】
主な用途が光沢（グロス）の一様性に対するものだけである場合は、センサ２は、例えば２００ｓｐｉ、１００ｓｐｉ、又は５０ｓｐｉ（ｓｐｉは、１インチ（２５．４ｍｍ）あたりのスポットの数をいう）などのはるかに低い解像度で動作する可能性がある。鏡像及び拡散像は、所与のページ上に印刷された画像の内容と比較することができる。そのページの画像内容に対する測定された光沢（グロス）パターンの比較は、光沢（グロス）があるべき一様さであるかどうかの識別を可能にする。拡散成分と鏡面反射成分を知ると、望ましい状況における真の鏡面反射を求めることができる。
【００２９】
一方は拡散反射光の尺度であり、他方は鏡面反射光及び拡散反射光の尺度である、２つの信号があるため、鏡面反射成分の別個の知識が必要なときには、純粋な鏡面反射成分を抽出することが可能である。２つの照明体とセンサの組み合わせの動作角度を知ることによって、角度依存も考慮に入れることを可能にする。例えば、定着された印刷からの鏡面反射光の量を適合させることによって、定着器の光沢（グロス）性能を試験するための試験パターンを生成することができる。鏡面反射測定と組み合わされた試験パターンの知識は、定着器が、選択された色の処理に渡ってどのように機能しているかを示すことができる。画像を印刷し、かつ一様性を保証するために、置かれたトナーの量を知り、顧客画像の光沢（グロス）レベルを測定することもまた可能である。
【００３０】
本システムの別の制御パラメータは、セルフォック（登録商標）レンズ３がどれだけ良好に合焦されるかということである。セルフォック（登録商標）レンズ３を焦点外で動作することは有利とすることができ、これは焦点外のセルフォック（登録商標）レンズの量を制御する機構（図示せず）を与える際に容易に実施することができる。したがって、焦点は本印刷システムにおいて変更及び／又は制御することができる。
【００３１】
図３は、それぞれの軸Ｅ1−Ｃ、軸Ｅ2−Ｃ、軸Ｅ3−Ｃに沿って置かれた少なくとも３つの拡散照明体１Ｂ1、１Ｂ2、１Ｂ3を用いる実施形態を示す。線Ｅ1−Ｃ、線Ｅ2−Ｃ、線Ｅ3−Ｃと法線Ｄ−Ｃとの間の角度（∠Ｅ1ＣＤ、∠Ｅ2ＣＤ、∠Ｅ3ＣＤ）は、線Ａ−Ｃ及び法線Ｄ−Ｃの間の角度（∠ＡＣＤ）以外の幾らかの角度に設定されて、複数の拡散照明体１Ｂ1、１Ｂ2、１Ｂ3は、各々、点Ｃにおいて目標１０に光ビームを放射し、それによって少なくとも線Ａ−Ｃに沿った方向において、幾らかの通常に拡散する反射の一部を生成するように構成される。
【００３２】
別の実施形態（図示せず）は、複数の照明体の１つを選択し（例えば、図３で示されるように）、センサの軸と目標表面に対する法線との間の角度を、選択された照明体の軸と目標表面に対する法線との間の角度と適合するように変更することにより、鏡面反射に対する角度を可変にすることができる。さらに、拡散反射率角もまた可変とすることができる。種々の角度関係は、望ましい場合には、鏡面反射及び／又は拡散反射に関して角度依存を変更するために、法線に関するセンサ及び／又は照明体の角度を変更することによって、選択的に調整することができる。
【００３３】
さらに別の実施形態においては、本システムを、光沢（グロス）マークを読み取るために用いることも可能である。種々の適用例に対する最適化を行うことができる。例えば、光沢（グロス）マークを測定するために、検出器と照明体との間の最適な角度は、他の適用例に必要とされるものとは異なることも十分あり得る。さらに、必要とされる校正の種類は実験によって決定される。例えば、１つはつや消し仕上げであり、１つは光沢（グロス）仕上げという２つの校正ストリップを持つことは有利とすることができる。
【００３４】
図１〜図３で示されるように、複数の照明体１Ａ、１Ｂを用いる可能性が最も高いが、図４で示されるように単一の照明体１と２つのセンサ２Ａ、２Ｂとを持つシステムを構成することもできる。
【００３５】
単一の照明体１は線Ｂ−Ｃ上に置かれ、点Ｃにおいて目標１０上に光ビームを放射するように構成されており、これが反射し、それによって線Ａ−Ｃに沿った第１の方向における通常の鏡面の反射と、例えば線Ｅ−Ｃに沿った少なくとも第２の方向における通常幾らかの拡散反射とを生成する。線Ａ−Ｃ及び法線Ｄ−Ｃの間の角度（∠ＡＣＤ）は、線Ｂ−Ｃ及び法線Ｄ−Ｃの間の角度（∠ＢＣＤ）と実質的に等しい。対照的に、線Ｅ−Ｃ及び法線Ｄ−Ｃの間の角度（∠ＥＣＤ）は、線Ａ−Ｃ及び法線Ｄ−Ｃの間の角度（∠ＡＣＤ）以外の幾らかの角度である。
【００３６】
第１のセンサ２Ａは、線Ａ−Ｃに沿って置かれて、点Ｃにおいて目標１０から反射された第１方向において通常の鏡面の反射を捕捉（キャプチャ）する。第２のセンサ２Ｂは、線Ｅ−Ｃに沿って置かれて、点Ｃにおいて目標１０から反射された第２方向において通常に拡散する反射を捕捉（キャプチャ）する。この実施形態は、両方の種類の反射光に対して、最大解像度の画像を提供する。校正手順は、２つの別個のセンサ２Ａ、２Ｂからの信号を用いて、真の鏡面反射、及び、測定される画像の鏡面反射と拡散反射との差異を求めるように定めることができる。
【００３７】
この概念は、図５に示されるように、それぞれ線Ａ−Ｃ及び線Ｆ−Ｃ上に位置する２つのセンサ２Ｃ1、２Ｃ2を持つように、及びそれぞれ線Ｂ−Ｃ及び線Ｅ−Ｃ上に位置する２つの照明体１Ｃ1、１Ｃ2を持つようにさらに拡大することができる。線Ａ−Ｃ及び線Ｄ−Ｃの間の角度（∠ＡＣＤ）は、線Ｂ−Ｃ及び線Ｃ−Ｄの間の角度（∠ＢＣＤ）と実質的に等しく設定され、線Ｅ−Ｃ及び線Ｄ−Ｃの間の角度（∠ＥＣＤ）は、線Ｆ−Ｃ及び線Ｄ−Ｃの間の角度（∠ＦＣＤ）と実質的に等しく設定される。角度（∠ＢＣＤ）及び角度（∠ＡＣＤ）は、角度（∠ＥＣＤ）及び角度（∠ＦＣＤ）と等しくない。従って、第１のセンサ２Ｃ1は、第１の照明体１Ｃ1によって生成された通常の鏡面の反射及び第２の照明体１Ｃ2によって生成された幾らかの通常に拡散する反射を捕捉（キャプチャ）する位置にある。同様に、第２のセンサ２Ｃ2は、第１の照明体１Ｃ2によって生成された通常の鏡面の反射及び第２の照明体１Ｃ1によって生成された幾らかの通常に拡散する反射を捕捉（キャプチャ）する位置にある。この実施形態は、２つの照明体によって生成された通常の鏡面の反射及び通常に拡散する反射の互いにかみ合う捕捉（キャプチャ）を可能にする。各々の照明体は、例えば可視の及び赤外線のような異なる波長を生成することが好ましい。
【００３８】
図６は、処理方向及び処理方向に交差する方向（すなわち高速走査方向）の両方で、高空間分解能を捕捉（キャプチャ）するための有利な構成を示す。照明体１Ａ及び照明体１Ｂは、一方は通常の鏡面の反射照明を、他方は通常に拡散する照明を全幅アレイセンサ２に提供するように構成された２つの線形ＬＥＤアレイを含む。（注記：図６は、図１の実施形態を用いているが、本明細書に開示される任意の実施形態を用いることができる）。ＬＥＤアレイの個々のＬＥＤ１ＢA、１ＢB、１ＢC、１ＢDなどは、全て同じ種類であってもよいし、又は望まれる場合には、個々に異なる波長又はスペクトルを生成するように構成されてもよい。処理方向に交差する方向（すなわち高速走査方向）に線形アレイセンサ２を向けることによって、例えば、一枚の紙２０のような目標表面の全幅に渡り高解像度測定を行うことができる。
【００３９】
本システムは、引用により本明細書に組み入れられる、米国特許第７，１３６，６１６号及び米国特許第７，０２４，１５２号において開示されるように、複数の印刷機械が単一の印刷ジョブを出力するように制御される、緊密に統合された並列印刷（ＴＩＰＰ）システムと併せて用いることができる。本システムは、定着器性能を有利に監視し、ＴＩＰＰシステム内の複数の定着器の各々の性能を適合させるように構成することができる。また、これは、例えば、引用により本明細書に組み入れられる、米国特許出願公開第２００６／０２２２３８４において開示されるように、ＴＩＰＰシステムにおいて重ね印刷に用いることもできる。
【００４０】
階調をもった画像の粘着は、トナーが基板への粘着を促進するように流れるときに、最小限度の増分光沢（グロス）だけを階調をもった領域に与えることにより達成することができる。「粘着」定着動作を維持する能力を持つことは、１つより多いマーキング・エンジンでページにマーキングするときに、一様性を制御するのに不可欠である。ＴＩＰＰシステムの一部においては、第２の定着器又はＦＡＰ（最終外観及び耐久性）ステーションが用いられる。本システムは、更に、各々のマーキング・エンジンが最適な方法で動作しているかどうかを判断するのに用いることもできる。マーキング・エンジンの各々において又はマーキング・エンジンの一部において行われる定着は、ある特定の光沢（グロス）レベルで出力を供給する場合には、それらのページにおいてＦＡＰを用いるのは望ましくないとすることができる。
【００４１】
別の実施形態においては、本システムはまた、文書を走査する又は読み取る（例えばＯＣＲ）ために用いることもできる。これは特に図１に示される構成に当て嵌まる。この場合、２つの照明体１Ａ、１Ｂの存在によって、１つのセンサが用いられるコピー動作の場合において対向するリフレクタを用いるのとちょうど同じように、ページ又は張り付け用紙の縁におけるシャドーイング（影の形成）も最小にする。
【００４２】
捕捉（キャプチャ）される鏡面反射及び拡散反射の組み合わせから拡散反射を取り除くこともまた可能である。このことは、拡散反射と共に取り除かれる他の要因（例えば目標表面の不透明度、又は迷光など）を除いて鏡面反射のより精密な測定を可能にする。相当なフィルタリングが、システムの解像度を６００ｓｐｉに対して３００ｓｐｉに下げるように既に用いられているため、これはアーチファクト（人工物）をもたらすことはない。
【００４３】
プロセッサ（図示せず）は、センサを校正するため及びセンサによって検出された反射データを処理するための両方の目的で提供されている。これは、ＡＳＩＣ又はＦＰＧＡのような専用ハードウエア、ソフトウエア、又は専用ハードウエア及びソフトウエアの組み合わせとすることができる。異なる適用例においては、鏡面反射成分及び拡散反射成分を抽出する基礎アルゴリズムは同じであるが、特定の用途のための分析は異なる。
【００４４】
上述の適用例の一部は鏡面反射により行うことが可能であるが、その測定はより精密であり、望まれる測定を抽出するために用いられるアルゴリズムは、より容易でありかつ利用できる鏡面反射及び拡散反射情報の両方に関してエラーを導入することがより少ない。
【図面の簡単な説明】
【００４５】
【図１】本発明による照明体がセンサの両側に配置された２つの照明体及び１つのセンサを持つ本発明の実施形態を示す図である。
【図２】本発明による照明体がセンサの同じ側に配置された２つの照明体及び１つのセンサを持つ本発明の実施形態を示す図である。
【図３】本発明による少なくとも３つの照明体及び１つのセンサを持つ本発明の実施形態を示す図である。
【図４】本発明による１つの照明体及び２つのセンサを持つ本発明の実施形態を示す図である。
【図５】本発明による２つの照明体及び２つのセンサを持つ本発明の実施形態を示す図である。
【図６】本発明による処理方向及び処理方向に交差する方向の両方において高空間分解能を捕捉（キャプチャ）するように構成された本発明の実施形態を示す図である。
【符号の説明】
【００４６】
１：照明体
２：センサ（線形アレイセンサ）
３：セルフォック（登録商標）レンズ
１０：目標
２０：１枚の紙
【図１】
2008256691.tif 000003
【図２】
2008256691.tif 000004
【図３】
2008256691.tif 000005
【図４】
2008256691.tif 000006
【図５】
2008256691.tif 000007
【図６】
2008256691.tif 000008